(57)【要約】【課題】運転台に搭乗しているオペレータの検出精度を高め、オペレータが運転台から落下したことを精度良く検出することができ、さらに、オペレータが運転台から落下する蓋然性の低いときにはオペレータの検出を行わないようにすることが可能な荷役車両を提供する【解決手段】荷役車両であるピッキングリフト１は、車両本体１１と、オペレータＷが搭乗する運転台３１と、運転台３１を昇降させる昇降装置２０とを備える。また、ピッキングリフト１は、運転台３１の上方に存在する被写体を撮影するカメラ３５と、カメラ３５によって撮影された画像に係る画像データから、運転台３１に搭乗しているオペレータＷを検出するオペレータ検出部と、オペレータ検出部でオペレータＷが検出されないことに基づいて、オペレータＷが運転台３１から落下したことを検出するオペレータ落下検出部と、所定条件が成立するときカメラ３５による撮影を停止する制御部とを備える。【選択図】図１
2015209333.tif 000002
【特許請求の範囲】
【請求項１】
車両本体と、オペレータが搭乗する運転台と、前記車両本体に対して前記運転台を昇降させる昇降装置とを備える荷役車両において、
前記運転台の上方に存在する被写体を撮影するカメラと、
前記カメラによって撮影された画像に係る画像データから、前記運転台に搭乗しているオペレータを検出するオペレータ検出部と、
前記オペレータ検出部でオペレータが検出されないことに基づいて、当該オペレータが前記運転台から落下したことを検出するオペレータ落下検出部と、
少なくとも１つの所定条件が成立するとき、前記カメラによる撮影を停止する制御部とを備える
ことを特徴とする荷役車両。
【請求項２】
前記画像を記録する画像記録メモリを備え、
前記制御部は、少なくとも１つの前記所定条件が成立するとき、前記カメラによる撮影を停止することによって前記画像記録メモリによる前記画像の記録を停止する
ことを特徴とする請求項１に記載の荷役車両。
【請求項３】
前記運転台に設けられた、走行の制動を解除するためのブレーキペダルを備え、
前記ブレーキペダルがオペレータによって踏まれていることを前記所定条件の１つとする
ことを特徴とする請求項１または２に記載の荷役車両。
【請求項４】
前記運転台上の空間を囲う閉鎖位置および前記運転台上の空間を開放する開放位置に切り替え可能に配置されるガードを備え、
前記ガードが前記閉鎖位置に位置していることを前記所定条件の１つとする
ことを特徴とする請求項１〜３のいずれか一項に記載の荷役車両。
【請求項５】
前記運転台の揚高が所定未満の高さであることを前記所定条件の１つとする
ことを特徴とする請求項１〜４のいずれか一項に記載の荷役車両。
【請求項６】
前記所定条件が２つ以上であるとき、前記制御部は、２つ以上の前記所定条件のうちいずれか１つが成立するとき前記カメラによる撮影を停止する
ことを特徴とする請求項１〜５のいずれか一項に記載の荷役車両。
【発明の詳細な説明】
【技術分野】
【０００１】
本発明は、高所における荷役を可能とするために運転台とともにオペレータを昇降させる荷役車両に関するものである。
【背景技術】
【０００２】
運転台とともにオペレータを昇降させる荷役車両として、運転台に搭乗しているオペレータを検出するセンサを備えた荷役車両が知られている（例えば、特許文献１参照）。
特許文献１には、車両の周囲に向けて警報を発する警報手段と、作業台上の作業者の有無を検知する作業者有無検知手段と、作業者有無検知手段により作業者が作業台上にいないとされる継続時間に基づいて警報手段を作動させる警報制御手段とを備えた作業車両の報知装置が記載されている。また、引用文献１には、乗降センサまたは乗員センサとして設けられた赤外線センサによって作業者有無検知手段を構成することが記載されている。
【０００３】
しかし、焦電型赤外線センサは、赤外線による焦電素子の温度変化を検知することによってオペレータを検出するため、オペレータから放射される赤外線を焦電素子で受光できない場合は、オペレータを検出することができない。また、赤外線センサは、オペレータ以外の物体から放射される赤外線を受光することにより、オペレータとオペレータ以外の物体とを区別して検出することができないおそれがある。このため、運転台に搭乗しているオペレータを精確に検出することができず、オペレータが運転台から落下したことを精度良く検出できないおそれがある。
【先行技術文献】
【特許文献】
【０００４】
【特許文献１】特開２００６−１６０４０８号公報
【発明の概要】
【発明が解決しようとする課題】
【０００５】
本発明は、上記事情に鑑みてなされたものであって、運転台に搭乗しているオペレータの検出精度を高め、当該オペレータが運転台から落下したことを精度良く検出することができ、さらに、オペレータが運転台から落下する蓋然性の低いときにはオペレータの検出を行わないようにすることが可能な荷役車両を提供することを課題とする。
【課題を解決するための手段】
【０００６】
上記課題を解決するため、請求項１に記載の本発明の荷役車両は、車両本体と、オペレータが搭乗する運転台と、前記車両本体に対して前記運転台を昇降させる昇降装置とを備える荷役車両において、前記運転台の上方に存在する被写体を撮影するカメラと、前記カメラによって撮影された画像に係る画像データから、前記運転台に搭乗しているオペレータを検出するオペレータ検出部と、前記オペレータ検出部でオペレータが検出されないことに基づいて、当該オペレータが前記運転台から落下したことを検出するオペレータ落下検出部と、少なくとも１つの所定条件が成立するとき、前記カメラによる撮影を停止する制御部とを備えることを特徴とする。
【０００７】
また、請求項２に記載の荷役車両は、請求項１に記載の荷役車両において、前記画像を記録する画像記録メモリを備え、前記制御部は、少なくとも１つの前記所定条件が成立するとき、前記カメラによる撮影を停止することによって前記画像記録メモリによる前記画像の記録を停止することを特徴とする。
【０００８】
また、請求項３に記載の荷役車両は、請求項１または２に記載の荷役車両において、前記運転台に設けられた、走行の制動を解除するためのブレーキペダルを備え、前記ブレーキペダルがオペレータによって踏まれていることを前記所定条件の１つとすることを特徴とする。
【０００９】
また、請求項４に記載の荷役車両は、請求項１〜３のいずれか一項に記載の荷役車両において、前記運転台上の空間を囲う閉鎖位置および前記運転台上の空間を開放する開放位置に切り替え可能に配置されるガードを備え、前記ガードが前記閉鎖位置に位置していることを前記所定条件の１つとすることを特徴とする。
【００１０】
また、請求項５に記載の荷役車両は、請求項１〜４のいずれか一項に記載の荷役車両において、前記運転台の揚高が所定未満の高さであることを前記所定条件の１つとすることを特徴とする。
【００１１】
また、請求項６に記載の荷役車両は、請求項１〜５のいずれか一項に記載の荷役車両において、前記所定条件が２つ以上であるとき、前記制御部は、２つ以上の前記所定条件のうちいずれか１つが成立するとき前記カメラによる撮影を停止することを特徴とする。
【発明の効果】
【００１２】
本発明によれば、運転台に搭乗しているオペレータの検出精度を高め、当該オペレータが運転台から落下したことを精度良く検出することができ、さらに、オペレータが運転台から落下する蓋然性の低いときにはオペレータの検出を行わないようにすることが可能な荷役車両を提供することができる。
【図面の簡単な説明】
【００１３】
【図１】本発明の一実施形態に係る荷役車両を示す斜視図である。
【図２】本実施形態に係るカメラによって撮影される画像の一例を示す模式図である。
【図３】本実施形態に係る荷役車両の構成を示すブロック図である。
【図４】本実施形態に係る落下監視処理の流れを示すフローチャートである。
【発明を実施するための形態】
【００１４】
図面を参照しながら、本発明に係る荷役車両の一実施形態を説明する。なお、図面において、矢印Ｘで示す前後方向Ｘと、矢印Ｙで示す左右方向Ｙと、矢印Ｚで示す上下方向Ｚとは、互いに直交する方向である。
【００１５】
図１に示すように、荷役車両であるピッキングリフト１は、車両本体１１、走行装置１２、昇降装置２０、運転台３１、操作部３２、ヘッドガード３３、一対のフォーク３４、カメラ３５、および安全装置４０等を備えている。
【００１６】
車両本体１１は、走行装置１２およびバッテリー（図示略）等を収納する。バッテリーは、走行装置１２および昇降装置２０を駆動するための動力源であり、ピッキングリフト１の構成の簡素化のために、同一のバッテリーから、走行装置１２および昇降装置２０の各々に電力が供給される。
【００１７】
走行装置１２は、車輪と、車輪を回転させる走行用モーターと、車輪の向きを変えるステアリング装置と、車輪の回転を制動するブレーキ装置とを含む。走行装置１２が動作することによって、ピッキングリフト１は走行路面上を走行する。
【００１８】
昇降装置２０は、左右方向Ｙにおいて間隔をあけて設けられた一対のマスト２１を備える。上下方向Ｚに平行に延びるマスト２１は、アウターマスト２１Ａとインナーマスト２１Ｂとを備え、伸縮可能に構成されている。昇降装置２０は、アウターマスト２１Ａに対してインナーマスト２１Ｂを上下方向Ｚに移動させること（すなわちマスト２１を伸縮させること）、並びにインナーマスト２１Ｂに対して運転台３１を上下方向Ｚに移動させることによって、車両本体１１に対して運転台３１を昇降させる。
【００１９】
運転台３１は、ピッキングリフト１の運転のための足場であり、かつ、高所における荷役のための足場である。すなわち、ピッキングリフト１のオペレータＷは、荷役の作業者であって、ピッキングリフト１の運転および高所における荷役のために運転台３１に搭乗する。運転台３１は、オペレータＷの指示に基づいて昇降可能に構成されている。
【００２０】
操作部３２は、オペレータＷの指示が入力される各種のマンマシンインタフェースにより構成されており、運転台３１とともに昇降可能に構成されている。操作部３２は、ステアリングハンドル３２Ａ、アクセルグリップ３２Ｂ、上昇ボタン３２Ｃ、下降ボタン３２Ｄ、およびブレーキペダル３２Ｅ等により構成されている。ステアリングハンドル３２Ａには、ピッキングリフト１の走行方向を変える指示が入力される。アクセルグリップ３２Ｂには、ピッキングリフト１の走行を加速する指示が入力される。上昇ボタン３２Ｃには、運転台３１を上昇させる指示が入力される。下降ボタン３２Ｄには、運転台３１を下降させる指示が入力される。ブレーキペダル３２Ｅは、運転台３１に設けられたデッドマンブレーキであって、ブレーキペダル３２Ｅが踏まれることによって、ブレーキペダル３２Ｅには、ピッキングリフト１の走行の制動を解除する指示が入力される。
【００２１】
ヘッドガード３３は、運転台３１の上方に設けられており、運転台３１とともに昇降する格子状の構造物により構成されている。ヘッドガード３３は、大きな落下物が運転台３１に搭乗しているオペレータＷに当たることを防ぐ。
【００２２】
一対のフォーク３４は、左右方向Ｙにおいて間隔をあけて配置されており、運転台３１から後方に向けて平行に延びている。フォーク３４がパレットＰに挿し込まれることによって、パレットＰがフォーク３４によって支持される。フォーク３４に支持されたパレットＰは、運転台３１と同じ高さに位置し、オペレータＷは、パレットＰ上を荷物の載置場所として荷役を行う。
【００２３】
カメラ３５は、ヘッドガード３３に取り付けられており、運転台３１の上方からカメラ３５の下方の空間を撮影することによって、運転台３１の上方に存在する被写体をカラーで撮影する。カメラ３５は、鉛直方向から見て３６０°の範囲を撮影する全方位カメラにより構成されている。
【００２４】
安全装置４０は、ガード４１と、安全帯４２とにより構成されている。
ガード４１は、運転台３１上の空間を覆う閉鎖位置および運転台３１上の空間を開放する開放位置に切り替え可能に配置される。図１中の実線で示すガード４１は、閉鎖位置に配置されている状態であって、図１中の破線で示すガード４１は、開放位置に配置されている状態である。閉鎖位置に配置されているガード４１は、運転台３１上からオペレータＷが転落することを防ぐ。また、開放位置に配置されているガード４１は、オペレータＷが荷役を行うことを許容する。ガード４１は、右側ガード４１Ｒと左側ガード４１Ｌとにより構成されている。右側ガード４１Ｒを閉鎖位置または開放位置に切り替えることと、左側ガード４１Ｌを閉鎖位置または開放位置に切り替えることは、互いに独立して行うことができるように構成されている。
【００２５】
安全帯４２は、オペレータＷの腰に装着される胴ベルト４２Ａと、帯状の命綱として機能するストラップ４２Ｂと、ストラップ４２Ｂの一部を巻き取る巻取器４２Ｃとにより構成されている。安全帯４２の巻取器４２Ｃは、ヘッドガード３３に取り付けられており、安全帯４２は、運転台３１からオペレータＷが落下したとき、オペレータＷの地上への転落を防ぐためにオペレータＷを吊り下げる。また、巻取器４２Ｃが、巻取器４２Ｃから胴ベルト４２Ａまでのストラップ４２Ｂの長さを調整することによって、オペレータＷの移動可能な範囲を制限し、運転台３１からオペレータＷが落下することを抑制する。
【００２６】
図２を参照して、カメラ３５について詳しく説明する。
図２に示すように、カメラ３５は、運転台３１の上方から、運転台３１の上方に存在する被写体であるオペレータＷとともにピッキングリフト１が走行する走行路面を撮影する。このため、カメラ３５を用いて、走行を妨げる障害物が走行路面に存在するか否かを検出することが可能となる。また、オペレータＷが撮影された画像には、オペレータＷが着用しているヘルメットおよび作業着が映るため、カメラ３５によって撮影された画像に係る画像データからヘルメットまたは作業着を検出することによって、オペレータＷの検出を行うことが可能である。画像データに含まれるヘルメットまたは作業着の検出は、画像データに含まれる色情報等を用いて行うことが可能である。
【００２７】
次に、図３を参照して、運転台３１に搭乗しているオペレータＷを監視するための構成について説明する。
図３に示すように、ピッキングリフト１は、画像記録メモリ５１、オペレータ検出部５２、オペレータ落下検出部５３、報知部５４、ペダル操作検出部６１、ガード位置検出部６２、運転台揚高検出部６３、および制御部６４を備えている。
【００２８】
画像記録メモリ５１は、カメラ３５から得られた画像に係る画像データを記憶するメモリである。すなわち、画像記録メモリ５１は、オペレータＷによるピッキングリフト１の運転状況や荷役の作業状況を後から見直すことができるように、カメラ３５によって撮影された画像を記録する。
【００２９】
オペレータ検出部５２は、カメラ３５で撮影された画像に対して、所定の画像処理を行う画像処理回路により構成される。オペレータ検出部５２は、カメラ３５によって撮影された画像に係る画像データから、運転台３１に搭乗しているオペレータＷを検出する。具体的には、例えば、オペレータ検出部５２は、カメラ３５で撮影された画像から、オペレータＷが着用しているヘルメットおよび作業着等の着用物に設けられた所定のマーク、色、またはこれらの組み合わせを検出することによって、当該オペレータＷを検出する。
【００３０】
オペレータ落下検出部５３は、オペレータＷが運転台３１から落下したこと（以下、「オペレータＷの落下」）を検出する集積回路により構成されている。オペレータ落下検出部５３は、オペレータ検出部５２によるオペレータＷの検出結果等に基づいて、所定のオペレータ落下条件が成立するとき、オペレータＷの落下を検出する。具体的には、例えば、オペレータ検出部５２によってオペレータＷが検出されず、かつ、運転台３１の揚高が所定以上の高さであるとき、オペレータＷの落下がオペレータ落下検出部５３によって検出される。
【００３１】
報知部５４は、スピーカーおよび警告灯および無線通信アンテナにより構成される。報知部５４は、運転台３１からオペレータＷが落下した旨を報知するための動作として、音および光を発するとともに電波を送信する。報知部５４は、スピーカーで警告音を発するとともに警告灯で光を発することによって、ピッキングリフト１の周辺に存在する者に対してオペレータＷの落下を報知する。また、報知部５４は、無線通信アンテナで電波を送信することによって、当該電波を受信可能なピッキングリフト１の管理者に対してオペレータＷの落下を報知する。
【００３２】
ペダル操作検出部６１は、ブレーキペダル３２Ｅが操作されたことを検出するセンサにより構成されており、当該センサは例えばリミットスイッチにより構成される。ペダル操作検出部６１は、ブレーキペダル３２Ｅが踏まれたときに生じるブレーキペダル３２Ｅの変位を検知することによって、ブレーキペダル３２Ｅの操作（以下、「ペダル操作」）を検出する。
【００３３】
ガード位置検出部６２は、ガード４１の位置（以下、「ガード位置」）を検出するセンサにより構成されており、当該センサは例えばリミットスイッチにより構成される。ガード位置検出部６２は、右側ガード４１Ｒおよび左側ガード４１Ｌの双方が閉鎖位置に配置されていることを検知することによって、ガード位置が閉鎖位置であることを検出する。一方、ガード位置検出部６２は、右側ガード４１Ｒおよび左側ガード４１Ｌの少なくとも一方が閉鎖位置に配置されていないことを検知することによって、ガード位置が開放位置であることを検出する。
【００３４】
運転台揚高検出部６３は、運転台３１の揚高（以下、「運転台揚高」）を検出するセンサにより構成されており、当該センサは例えばエンコーダにより構成される。運転台揚高検出部６３は、アウターマスト２１Ａに対するインナーマスト２１Ｂの位置、およびインナーマスト２１Ｂに対する運転台３１の位置を検出することによって、運転台揚高を検出する。
【００３５】
制御部６４は、カメラ３５等を制御する集積回路により構成されている。制御部６４は、ペダル操作検出部６１によるペダル操作の検出結果、ガード位置検出部６２によるガード位置の検出結果、および運転台揚高検出部６３による運転台揚高の検出結果に基づいて、カメラ３５を制御する。具体的には、制御部６４は、下記の条件Ａ１〜Ａ３のうち少なくとも１つが成立するとき、運転台３１に搭乗しているオペレータＷが運転台３１から落下する蓋然性の低い状況であると考えられるため、カメラ３５によるオペレータＷの撮影を停止させる。
（条件Ａ１）ペダル操作検出部６１によってペダル操作が検出されたこと
（条件Ａ２）ガード位置検出部６２で検出されたガード位置が閉鎖位置であること
（条件Ａ３）運転台揚高検出部６３で検出された運転台揚高が所定未満の高さであること
また、制御部６４は、条件Ａ１〜Ａ３のいずれも成立しないとき（すなわち下記の条件Ｂ１〜Ｂ３の全てが成立するとき）、運転台３１に搭乗しているオペレータＷが運転台３１から落下する蓋然性の高い状況であると考えられるため、カメラ３５を起動して、カメラ３５によるオペレータＷの撮影を開始させる。
（条件Ｂ１）ペダル操作検出部６１によってペダル操作が検出されないこと
（条件Ｂ２）ガード位置検出部６２で検出されたガード位置が開放位置であること
（条件Ｂ３）運転台揚高検出部６３で検出された運転台揚高が所定以上の高さであること
【００３６】
また、ピッキングリフト１は、障害物検出部（図示略）を備えている。障害物検出部は、カメラ３５で撮影された画像に係る画像データから、ピッキングリフト１の走行を妨げる障害物を検出する集積回路により構成されている。
【００３７】
図４を参照して、ピッキングリフト１が行う落下監視処理の流れを説明する。落下監視処理は、ピッキングリフト１の稼働とともに開始される。
落下監視処理において、ピッキングリフト１が稼働を開始した直後は、オペレータＷが運転台３１から落下することなく運転台３１に搭乗しているものと考えられるため、制御部６４は、カメラ３５によるオペレータＷの撮影を停止させる（ステップＳ１）。
【００３８】
次いで、制御部６４は、ペダル操作検出部６１によるペダル操作の検出結果、ガード位置検出部６２によるガード位置の検出結果、および運転台揚高検出部６３による運転台揚高の検出結果に基づいて、条件Ａ１〜Ａ３のうち少なくとも１つが成立しているか否かを判断する（ステップＳ２）。条件Ａ１〜Ａ３のうち少なくとも１つが成立しているとステップＳ２で判断された場合、制御部６４は、カメラ３５によるオペレータＷの撮影の停止を維持し、ステップＳ１以降の処理を再度行う。すなわち、条件Ｂ１〜Ｂ３の全てが成立していない場合は、下記のステップＳ３の処理に移行しない。
【００３９】
一方、条件Ａ１〜Ａ３のうち少なくとも１つが成立しているとステップＳ１で判断されなかった場合（すなわち条件Ｂ１〜Ｂ３の全てが成立していると判断された場合）、制御部６４は、カメラ３５によるオペレータＷの撮影を開始させる（ステップＳ３）。制御部６４が、カメラ３５でのオペレータＷの撮影を開始させることによって、画像記録メモリ５１による画像の記録が開始されるとともに、オペレータ検出部５２によるオペレータＷの検出が開始され、オペレータ落下検出部５３によるオペレータＷの落下の検出が開始される。
【００４０】
次いで、オペレータ落下検出部５３は、オペレータ検出部５２によるオペレータＷの検出結果等に基づいて、オペレータＷの落下を検出したか否かを判断する（ステップＳ４）。オペレータＷの落下を検出したか否かの判断は、オペレータ落下条件が成立するか否かに基づいて行うことできる。オペレータＷの落下を検出したとステップＳ４で判断された場合は、報知部５４が、オペレータＷの落下を報知する（ステップＳ５）。
【００４１】
一方、オペレータＷの落下を検出したとステップＳ４で判断されなかった場合は、制御部６４は、カメラ３５によるオペレータＷの撮影を維持し、ステップＳ２以降の処理を繰り返す。なお、ステップＳ４を経た後に、条件Ａ１〜Ａ３のうち少なくとも１つが成立しているとステップＳ２で判断された場合は、制御部６４が、ステップＳ１において、カメラ３５によるオペレータＷの撮影を停止させることによって、画像記録メモリ５１による画像の記録が停止されるとともに、オペレータ検出部５２によるオペレータＷの検出が停止され、オペレータ落下検出部５３によるオペレータＷの落下の検出が停止される。
【００４２】
本実施形態のピッキングリフト１においては以下の効果が得られる。
（１）ピッキングリフト１は、カメラ３５と、オペレータ検出部５２と、オペレータ落下検出部５３と、少なくとも１つの所定条件（条件Ａ１〜Ａ３）が成立するとき、カメラ３５による撮影を停止する制御部６４とを備える。この構成によれば、オペレータ検出部５２は、カメラ３５によって撮影された画像に係る画像データから、オペレータＷを検出するため、カメラ３５でオペレータＷを撮影することによって、運転台３１に搭乗しているオペレータＷを検出することができる。また、オペレータＷとオペレータ以外の物体とを区別して検出することが可能であるため、赤外線センサを用いてオペレータＷを検出する構成に比べて、運転台３１に搭乗しているオペレータＷの検出精度を高めることができる。その結果、オペレータ検出部５２でオペレータＷが検出されないことに基づいて、当該オペレータＷが運転台３１から落下したことを精度良く検出することが可能となる。また、所定条件が成立するときカメラ３５によるオペレータＷの撮影が停止される。このため、所定条件として、オペレータＷが運転台３１から落下する蓋然性の低い状況を設定することによって、オペレータＷが運転台３１から落下する蓋然性の低いときにはオペレータＷの検出を行わないようにすることが可能となる。その結果、カメラ３５による電力の消費を抑えること、カメラ３５を構成するイメージセンサの劣化を防ぐこと、オペレータＷのプライバシーの保護を図ること、並びに、オペレータ検出部５２およびオペレータ落下検出部５３が動作することによって発生する負荷を低減すること等が可能となる。
【００４３】
（２）ピッキングリフト１は、画像記録メモリ５１を備え、制御部６４は、少なくとも１つの所定条件（条件Ａ１〜Ａ３）が成立するとき、カメラ３５による撮影を停止することによって画像記録メモリ５１による画像の記録を停止する。この構成によれば、画像記録メモリ５１の浪費を抑制することができる。
【００４４】
（３）ピッキングリフト１は、走行の制動を解除するためのブレーキペダル３２Ｅを備え、ブレーキペダル３２ＥがオペレータＷによって踏まれていることを上述した所定条件の１つ（条件Ａ１）とする。この構成によれば、ブレーキペダル３２ＥがオペレータＷによって踏まれているとき、画像記録メモリ５１による画像の記録が停止される。このため、ピッキングリフト１の走行に係る運転をオペレータＷが運転台３１上で行っているときに、画像記録メモリ５１の浪費を抑制することができる。
【００４５】
（４）ピッキングリフト１は、ガード４１を備え、ガード４１が閉鎖位置に位置していることを上述した所定条件の１つ（条件Ａ２）とする。この構成によれば、ガード４１が閉鎖位置に位置しているとき、画像記録メモリ５１による画像の記録が停止される。このため、閉鎖位置に配置されたガード４１がオペレータＷの運転台３１からの落下を妨げるときに、画像記録メモリ５１の浪費を抑制することができる。
【００４６】
（５）運転台３１の揚高が所定未満の高さであることを上述した所定条件の１つ（条件Ａ３）とする。この構成によれば、運転台３１の揚高が所定未満の高さであるとき、画像記録メモリ５１による画像の記録が停止される。このため、高所からオペレータＷが転落するおそれがないときに、画像記録メモリ５１の浪費を抑制することができる。
【００４７】
（６）制御部６４は、２つ以上の上述した所定条件（条件Ａ１〜Ａ３）のうちいずれか１つが成立するときカメラ３５による撮影を停止する。この構成によれば、２つ以上の所定条件の全てが成立するときにカメラ３５による撮影が停止される構成に比べて、オペレータＷが運転台３１から落下する蓋然性の低い状況の多様性に対応することができる。
【００４８】
（７）オペレータ検出部５２は、画像データから、オペレータＷが着用している着用物（例えば、ヘルメットまたは作業着に設けられた所定のマーク、色、またはこれらの組み合わせ）を検出することによって、当該オペレータＷを検出する。このため、カメラ３５でオペレータＷの顔を撮影できない場合であっても、オペレータＷを検出することが可能である。
【００４９】
（８）カメラ３５は、運転台３１の上方に設けられたヘッドガード３３に取り付けられており、運転台３１の上方から、運転台３１の上方に存在する被写体とともに走行路面を撮影する。このため、カメラ３５を用いて、走行を妨げる障害物が走行路面に存在するか否かを検出することが可能となる。
【００５０】
（９）カメラ３５は、鉛直方向から見て３６０°の範囲を撮影する全方位カメラにより構成されている。このため、ピッキングリフト１の周囲を１つのカメラ３５で撮影することができるため、複数のカメラを用いて走行を妨げる障害物が走行路面に存在するか否かを検出する構成に比べて、構成の簡略化および低コスト化を図ることができる。
【００５１】
本発明は、上記実施形態に限定されるものではなく、上記実施形態の構成を適宜変更することもできる。例えば、上記構成を以下のように変更して実施することもでき、以下の変更を組み合わせて実施することもできる。
【００５２】
・上述した所定条件が成立したとき、制御部６４は、カメラ３５による撮影を停止することによってバッファ用画像記録メモリ（図示略）による画像の記録を停止することもできる。バッファ用画像記録メモリは、カメラ３５からオペレータ検出部５２に送信される画像データを一時的に記憶する画像記録メモリとして機能する。
【００５３】
・オペレータ検出部５２は、画像データから、オペレータＷの顔の少なくとも一部（例えば、目または口）を検出することによって、当該オペレータＷを検出することもできる。この構成によれば、着用物を検出することによってオペレータＷを検出する構成に比べて、オペレータＷを直接的に検出することが可能である。
【００５４】
・オペレータ検出部５２によってオペレータＷが検出されず、かつ、ガード位置が開放位置であるとき、オペレータＷの落下が検出される構成を採用することもできる。また、オペレータ検出部５２によってオペレータＷが検出されず、かつ、操作部３２がオペレータＷによって操作されないとき、オペレータＷの落下が検出される構成を採用することもできる。また、オペレータ検出部５２による検出結果だけに基づいてオペレータＷが運転台３１から落下したことを検出する構成を採用することもできる。
【００５５】
・報知部５４が行う動作を適宜変更することもできる。例えば、報知部５４は、音声の出力、発光、および電波の送信のうち、いずれか１つまたは２つの方法によりオペレータＷの落下を報知してもよい。
【００５６】
・カメラ３５に係る構成を適宜変更することもできる。例えば、カメラ３５の配置および個数を変更することもできる。また、カメラ３５を、全方位カメラ以外のカメラにより構成することもできる。
【符号の説明】
【００５７】
１  ピッキングリフト（荷役車両）
１１  車両本体
１２  走行装置
２０  昇降装置
２１  マスト
２１Ａ  アウターマスト
２１Ｂ  インナーマスト
３１  運転台
３２  操作部
３２Ａ  ステアリングハンドル
３２Ｂ  アクセルグリップ
３２Ｃ  上昇ボタン
３２Ｄ  下降ボタン
３２Ｅ  ブレーキペダル
３３  ヘッドガード
３４  フォーク
３５  カメラ
４０  安全装置
４１  ガード
４２  安全帯
４２Ａ  胴ベルト
４２Ｂ  ストラップ
４２Ｃ  巻取器
５１  画像記録メモリ
５２  オペレータ検出部
５３  オペレータ落下検出部
５４  報知部
６１  ペダル操作検出部
６２  ガード位置検出部
６３  運転台揚高検出部
６４  制御部
Ｐ  パレット
Ｗ  オペレータ
Ｘ  前後方向
Ｙ  左右方向
Ｚ  上下方向
【図１】
2015209333.tif 000003
【図２】
2015209333.tif 000004
【図３】
2015209333.tif 000005
【図４】
2015209333.tif 000006
【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
車両本体と、オペレータが搭乗する運転台と、前記車両本体に対して前記運転台を昇降させる昇降装置とを備える荷役車両において、
前記運転台の上方に存在する被写体を撮影するカメラと、
前記カメラによって撮影された画像に係る画像データから、前記運転台に搭乗しているオペレータを検出するオペレータ検出部と、
前記オペレータ検出部でオペレータが検出されないことに基づいて、当該オペレータが前記運転台から落下したことを検出するオペレータ落下検出部と、
少なくとも１つの所定条件が成立するとき、前記カメラによる撮影を停止する制御部と、
前記運転台に設けられた、走行の制動を解除するためのブレーキペダルとを備え、
前記ブレーキペダルがオペレータによって踏まれていることを前記所定条件の１つとする
ことを特徴とする荷役車両。
【請求項２】
車両本体と、オペレータが搭乗する運転台と、前記車両本体に対して前記運転台を昇降させる昇降装置とを備える荷役車両において、
前記運転台の上方に存在する被写体を撮影するカメラと、
前記カメラによって撮影された画像に係る画像データから、前記運転台に搭乗しているオペレータを検出するオペレータ検出部と、
前記オペレータ検出部でオペレータが検出されないことに基づいて、当該オペレータが前記運転台から落下したことを検出するオペレータ落下検出部と、
少なくとも１つの所定条件が成立するとき、前記カメラによる撮影を停止する制御部と、
前記運転台上の空間を囲う閉鎖位置および前記運転台上の空間を開放する開放位置に切り替え可能に配置されるガードとを備え、
前記ガードが前記閉鎖位置に位置していることを前記所定条件の１つとする
ことを特徴とする荷役車両。
【請求項３】
前記画像を記録する画像記録メモリを備え、
前記制御部は、少なくとも１つの前記所定条件が成立するとき、前記カメラによる撮影を停止することによって前記画像記録メモリによる前記画像の記録を停止する
ことを特徴とする請求項１または請求項２に記載の荷役車両。
【手続補正２】
【補正対象書類名】明細書
【補正対象項目名】０００６
【補正方法】変更
【補正の内容】
【０００６】
上記課題を解決するため、請求項１に記載の本発明の荷役車両は、車両本体と、オペレータが搭乗する運転台と、前記車両本体に対して前記運転台を昇降させる昇降装置とを備える荷役車両において、前記運転台の上方に存在する被写体を撮影するカメラと、前記カメラによって撮影された画像に係る画像データから、前記運転台に搭乗しているオペレータを検出するオペレータ検出部と、前記オペレータ検出部でオペレータが検出されないことに基づいて、当該オペレータが前記運転台から落下したことを検出するオペレータ落下検出部と、少なくとも１つの所定条件が成立するとき、前記カメラによる撮影を停止する制御部と、前記運転台に設けられた、走行の制動を解除するためのブレーキペダルとを備え、前記ブレーキペダルがオペレータによって踏まれていることを前記所定条件の１つとすることを特徴とする。
また、請求項２に記載の本発明の荷役車両は、車両本体と、オペレータが搭乗する運転台と、前記車両本体に対して前記運転台を昇降させる昇降装置とを備える荷役車両において、前記運転台の上方に存在する被写体を撮影するカメラと、前記カメラによって撮影された画像に係る画像データから、前記運転台に搭乗しているオペレータを検出するオペレータ検出部と、前記オペレータ検出部でオペレータが検出されないことに基づいて、当該オペレータが前記運転台から落下したことを検出するオペレータ落下検出部と、少なくとも１つの所定条件が成立するとき、前記カメラによる撮影を停止する制御部と、前記運転台上の空間を囲う閉鎖位置および前記運転台上の空間を開放する開放位置に切り替え可能に配置されるガードとを備え、前記ガードが前記閉鎖位置に位置していることを前記所定条件の１つとすることを特徴とする。
【手続補正３】
【補正対象書類名】明細書
【補正対象項目名】０００７
【補正方法】変更
【補正の内容】
【０００７】
また、請求項３に記載の荷役車両は、請求項１または２に記載の荷役車両において、前記画像を記録する画像記録メモリを備え、前記制御部は、少なくとも１つの前記所定条件が成立するとき、前記カメラによる撮影を停止することによって前記画像記録メモリによる前記画像の記録を停止することを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】